(57)【要約】      （修正有）【課題】中間プレートをハウジングに固定する必要がなく、偏心カムを取外すときに中間プレートと偏心カムの位置合わせが容易である往復動作業機を提供する。【解決手段】本発明による往復動作業機は、下ブレードと上ブレード12の間に且つ下偏心カムと上偏心カム38の間に配置される中間プレート46を有し、中間プレートは、上偏心カムが通過可能な通過孔46aを有する。ブレード組立体がハウジングから解放されているとき、中間プレートは、上偏心カムが通過孔を通過可能な通過位置に弧状の移動経路47に沿って移動可能である。【選択図】図７
2017046638.tif 000002
【特許請求の範囲】
【請求項１】
往復動作業機（１）であって、
ハウジング（４）と、
往復動するように案内され且つ互いに重なるように配置された第１のブレード（１０）及び第２のブレード（１２）と、
回転軸（４２）を中心に偏心回転する第１の偏心カム（３６）及び第２の偏心カム（３８）と、を有し、
前記第１のブレード（１０）は、前記第１のブレード（１０）を往復動させるように前記第１の偏心カム（３６）の周囲に摺動可能に嵌合する長孔（１０ａ）を有し、
前記第２のブレード（１２）は、前記第２のブレード（１２）を往復動させるように前記第２の偏心カム（３８）の周囲に摺動可能に嵌合する長孔（１２ａ）を有し、
前記第１の偏心カム（３６）及び前記第２の偏心カム（３８）は、互いに１８０度の位相で配置され、
更に、前記第１のブレード（１０）及び前記第２のブレード（１２）の間に且つ前記第１の偏心カム（３６）と前記第２の偏心カム（３８）の間に配置される中間プレート（４６）を有し、
前記中間プレート（４６）は、前記第１の偏心カム（３６）及び前記第２の偏心カム（３８）の少なくとも一方が通過可能な輪郭を有する通過部（４６ａ）を有し、
前記中間プレート（４６）は、前記第１のブレード（１０）及び前記第２のブレード（１２）に、所定の移動経路（４７）に沿って移動可能に取付けられ、
前記第１のブレード（１０）、前記第２のブレード（１２）、前記第１の偏心カム（３６）、前記第２の偏心カム（３８）及び前記中間プレート（４６）は、ブレード組立体（５０）を構成し、
前記ブレード組立体（５０）が前記ハウジング（４）に取付けられているとき、前記中間プレート（４６）は、前記第１の偏心カム（３６）及び前記第２の偏心カム（３８）が前記通過部（４６ａ）を通過することを阻止する阻止位置に位置決めされ、前記ブレード組立体（５０）が前記ハウジング（４）から解放されているとき、前記中間プレート（４６）は、前記第１の偏心カム（３６）及び前記第２の偏心カム（３８）の前記少なくとも一方が前記通過部（４６ａ）を通過可能な通過位置に前記所定の移動経路（４７）に沿って移動可能であることを特徴とする往復動作業機（１）。
【請求項２】
前記中間プレート（４６）は、前記第１のブレード（１０）及び前記第２のブレード（１２）に枢動可能に取付けられ、前記所定の移動経路（４７）は弧状であることを特徴とする請求項１に記載の往復動作業機（１）。
【請求項３】
前記中間プレート（４６）は、前記通過位置において前記ブレード組立体（５０）の特徴部（５４ａ、５４ｂ、５４ｃ）に位置合わせされる位置合わせ部（５２ａ、５２ｂ、５２ｃ）を有することを特徴とする請求項１又は２に記載の往復動作業機（１）。
【請求項４】
前記位置合わせ部は、前記阻止位置において前記第１のブレード（１０）及び前記第２のブレード（１２）を越えて延びる前記中間プレート（４６）の突出部（４６ｂ）の縁部（５２ａ）であり、
前記特徴部は、前記第１のブレード（１０）及び／又は前記第２のブレード（１２）の縁部（５４ａ）であることを特徴とする請求項３に記載の往復動作業機（１）。
【請求項５】
前記位置合わせ部は、前記阻止位置において前記第１のブレード（１０）及び前記第２のブレード（１２）を越えて延びる前記中間プレート（４６）の突出部（４６ｂ）の折曲げ部（５２ｂ）であり、
前記特徴部は、前記第１のブレード（１０）及び／又は前記第２のブレード（１２）の縁部（５４ｂ）であり、
前記通過位置において、前記折曲げ部（５２ｂ）は前記縁部（５４ｂ）に当接することを特徴とする請求項３に記載の往復動作業機（１）。
【請求項６】
前記ブレード組立体（５０）が前記ハウジング（４）に取付けられるとき、前記中間プレート（４６）の突出部（４６ｂ）は、前記ハウジング（４）に設けられた凹部（４ｅ）内に位置決めされることを特徴とする請求項４又は５に記載の往復動作業機（１）。
【請求項７】
前記位置合わせ部は、前記中間プレート（４６）に設けられた突起（５２ｃ）であり、
前記特徴部は、前記第２の偏心カム（３８）の縁部（５４ｃ）であり、
前記通過位置において、前記突起（５２ｃ）が前記第２の偏心カム（３８）の縁部（５４ｃ）に当接することを特徴とする請求項３に記載の往復動作業機（１）。
【請求項８】
前記通過部（４６ａ）は、通過孔であることを特徴とする請求項１〜７のいずれか１項に記載の往復動作業機（１）。
【発明の詳細な説明】
【技術分野】
【０００１】
本発明は、往復動作業機に関し、更に詳細には、刃先を有する一対のブレードを往復動させる往復動作業機に関する。
【背景技術】
【０００２】
庭木や植込み等の刈込みを行うための刈込機（所謂、ヘッジトリマー）、揺動式バリカン、芝刈機等の往復動作業機が知られている。例えば、刈込機では、刈刃を有する一対のブレード（例えば、上ブレード及び下ブレード）を、互いに逆方向に長手方向に往復動させる。更に、回転動力機の回転運動を一対のブレードの往復動に変換するために、回転動力機によって偏心回転する一対の偏心カム（例えば、上偏心カム及び下偏心カム）をそれぞれのブレードの長孔に摺動可能に嵌合させる。一対のブレードを逆方向に移動させるために、一対の偏心カムは、互いに１８０度の位相で配置されている。一対の偏心カムは、普通、一体に形成されている。
【０００３】
一対のブレードに負荷がかかったとき、ブレードの作動が停止してしまうことがある。詳細には、一対のブレードへの負荷により、上偏心カム及び下偏心カムが下方に移動し、上偏心カムと下偏心カムの両方が下ブレードの長孔に同時に係合することがある。このとき、上偏心カムが下ブレードを駆動する方向と下偏心カムが下ブレードを駆動する方向が反対であるため、上偏心カム及び下偏心カムがロックして、ブレードの作動が停止する。
【０００４】
かかるブレードの作動停止を防止するために、下ブレード及び上ブレードの間に且つ下偏心カムと上偏心カムの間に中間プレートを配置して上下のブレードに対する上下の偏心カムの移動を阻止する刈込機が知られている（特許文献１参照）。
【先行技術文献】
【特許文献】
【０００５】
【特許文献１】米国特許出願公開第２００８／０１９６３７６号明細書
【発明の概要】
【発明が解決しようとする課題】
【０００６】
特許文献１に記載されている刈込機では、中間プレートがハウジングにボルトで固定されているので、上下のブレード及び上下の偏心カムをハウジングから取外すとき、中間プレートをハウジングに固定しているボルトを取外す手間が必要である。
【０００７】
また、一体に形成されている上下の偏心カムを上下のブレードから取外すためには、一方の偏心カムの位置と、上下のブレードの長孔の位置と、中間プレートの孔の位置を合わせる必要がある。しかしながら、中間プレートを一方のブレードの長孔を通して見たとき、中間プレートの孔の縁の大部分がブレードと偏心カムの下に隠れてしまうため、中間プレートの孔と偏心カムの位置合わせが難しい。
【０００８】
そこで、本発明の目的は、中間プレートをハウジングに固定する必要がなく、偏心カムをブレードから取外すときに中間プレートと偏心カムの位置合わせが容易である往復動作業機を提供することにある。
【課題を解決するための手段】
【０００９】
上記目的を達成するために、本発明による往復動作業機は、ハウジングと、往復動するように案内され且つ互いに重なるように配置された第１のブレード及び第２のブレードと、回転軸を中心に偏心回転する第１の偏心カム及び第２の偏心カムと、を有し、第１のブレードは、第１のブレードを往復動させるように第１の偏心カムの周囲に摺動可能に嵌合する長孔を有し、第２のブレードは、第２のブレードを往復動させるように第２の偏心カムの周囲に摺動可能に嵌合する長孔を有し、第１の偏心カム及び第２の偏心カムは、互いに１８０度の位相で配置され、更に、第１のブレード及び第２のブレードの間に且つ第１の偏心カムと第２の偏心カムの間に配置される中間プレートを有し、中間プレートは、第１の偏心カム及び第２の偏心カムの少なくとも一方が通過可能な輪郭を有する通過部を有し、中間プレートは、第１のブレード及び第２のブレードに、所定の移動経路に沿って移動可能に取付けられ、第１のブレード、第２のブレード、第１の偏心カム、第２の偏心カム及び中間プレートは、ブレード組立体を構成し、ブレード組立体がハウジングに取付けられているとき、中間プレートは、第１の偏心カム及び第２の偏心カムが通過部を通過することを阻止する阻止位置に位置決めされ、ブレード組立体がハウジングから解放されているとき、中間プレートは、第１の偏心カム及び第２の偏心カムの上記少なくとも一方が通過部を通過可能な通過位置に所定の移動経路に沿って移動可能であることを特徴としている。
【００１０】
このように構成された往復動作業機では、中間プレートが第１のブレード及び第２のブレードに移動可能に取付けられ、ブレード組立体の一部分となっているので、中間プレートをハウジングに固定する必要はない。また、中間プレートが第１のブレード及び第２のブレードに、所定の移動経路に沿って移動可能に取付けられているので、中間プレートを移動させたときの通過部の軌跡は所定の移動経路に沿って限定される。そのため、ブレード組立体をハウジングから解放して第１の偏心カム及び第２の偏心カムを第１のブレード及び第２のブレードから取外すとき、中間プレートを通過位置に位置合わせすることが、中間プレートがブレードに対して自由に移動可能であるときよりも容易になる。その結果、第１の偏心カム及び第２の偏心カムをブレードから取外すときの中間プレートと第１の偏心カム及び第２の偏心カムの上記少なくとも一方の位置合わせが容易になる。
【００１１】
本発明による往復動作業機の実施形態において、好ましくは、中間プレートは、第１のブレード及び第２のブレードに枢動可能に取付けられ、所定の移動経路は弧状である。変形例として、中間プレートは、第１のブレード又は第２のブレードに直線移動可能に取付けられ、所定の経路は直線状であってもよい。
【００１２】
本発明による往復動作業機の実施形態において、好ましくは、中間プレートは、通過位置においてブレード組立体の特徴部に位置合わせされる位置合わせ部を有する。
【００１３】
このように構成された往復動作業機では、中間プレートの位置合わせ部を、ブレード組立体の特徴部に位置合わせすることにより、中間プレートを通過位置に移動させるので、第１の偏心カム及び第２の偏心カムをブレードから取外すときの中間プレートと第１の偏心カム及び第２の偏心カムの上記少なくとも一方の位置合わせが更に容易になる。
【００１４】
中間プレートが位置合わせ部を有する実施形態において、好ましくは、位置合わせ部は、阻止位置において第１のブレード及び第２のブレードを越えて延びる中間プレートの突出部の縁部であり、特徴部は第１のブレード及び／又は第２のブレードの縁部である。変形例として、位置合わせ部は、阻止位置において第１のブレード及び第２のブレードを越えて延びる中間プレートの突出部の折曲げ部であり、特徴部は、第１のブレード及び／又は第２のブレードの縁部であり、通過位置において、折曲げ部は縁部に当接する。
【００１５】
更に好ましくは、ブレード組立体がハウジングに取付けられるとき、中間プレートの突出部は、ハウジングに設けられた凹部内に位置決めされる。
【００１６】
このように構成された往復動作業機では、中間プレートの突出部を、ハウジングへの位置決め部材として兼用することができる。
【００１７】
中間プレートが位置合わせ部を有する実施形態において、好ましくは、位置合わせ部は、中間プレートに設けられた突起であり、特徴部は、第２の偏心カムの縁部であり、通過位置において、突起が第１の偏心カムの縁部に当接する。
【００１８】
本発明による往復動作業機の実施形態において、好ましくは、通過部は、通過孔であってもよいし、切欠き部であってもよい。
【発明の効果】
【００１９】
以上説明したとおり、本発明による往復動作業機によれば、中間プレートをフレームに固定する必要がなく、偏心カムを取外すときに中間プレートと偏心カムの位置合わせが容易である。
【図面の簡単な説明】
【００２０】
【図１】本発明の実施形態である刈込機の斜視図である。
【図２】図１の刈込機の動力伝達機構の分解斜視図である。
【図３】０度の位置のブレード及び偏心カムを示す平面図である。
【図４】９０度の位置のブレード及び偏心カムを示す平面図である。
【図５】１８０度の位置のブレード及び偏心カムを示す平面図である。
【図６】２７０度の位置のブレード及び偏心カムを示す平面図である。
【図７】中間プレートが通過位置にあるときのブレード組立体の部分的な平面図である。
【図８】ハウジングに取付けられたブレード組立体の部分的な底面図である。
【図９】位置合わせ部及び特徴部の変形例を示す平面図である。
【図１０】位置合わせ部及び特徴部の変形例を示す側面図である。
【図１１】位置合わせ部及び特徴部の変形例を示す平面図である。
【発明を実施するための形態】
【００２１】
図１に示すように、本発明による第１の実施形態である刈込機１は、エンジン２と、エンジン２が取付けられたハウジング４と、ハウジング４から長手方向Ａに延び且つ刈刃８を有する一対のブレード１０、１２を有している。一対のブレード１０、１２は、互いに重なるように配置され、庭木等を刈刃８によって刈込むために、長手方向Ａに沿って互いに逆方向に摺動し且つ往復動するように構成されている。ハウジング４には、一対のブレード１０、１２を往復動させるための動力伝達機構１４（図２参照）が収容されている。また、ハウジング４には、刈込機１を手で持つための２つのハンドルグリップ１６、１８が設けられ、一方のハンドルグリップ１６には、エンジン２の回転速度を調節することによって一対のブレード１０、１２の往復動を作動させ又は停止させるためのスロットルレバー２０が設けられている。
【００２２】
以下の説明では、長手方向Ａのハウジング４の側を「後」と称し、一対のブレード１０、１２の側を「前」と称する。また、一対のブレード１０、１２が重なる方向を上下方向Ｂと称し、エンジン２の側を「上」と称し、その反対側を「下」と称する。また、長手方向Ａ及び上下方向Ｂと垂直な方向を横方向Ｃと称する。
【００２３】
図２に示すように、一対のブレード１０、１２は、往復動するように案内され且つ互いに重なるように配置された下ブレード１０と上ブレード１２からなる。下ブレード１０と上ブレード１２は、支持プレート２２に支持されている。支持プレート２２は、長手方向軸線ＡＡに沿って間隔をおいて配置された孔２２ａ、２２ｂを有しており、孔２２ａ、２２ｂは、ハウジング４の雌ネジ部４ｃと整列している。また、下ブレード１０及び上ブレード１２は、支持プレート２２の孔２２ａ、２２ｂと整列し且つ長手方向軸線ＡＡに沿って延びる長孔２４を有している。カラー２６ａ、２６ｂが、長孔２４に摺動可能に嵌合するように、ネジ２８ａ、２８ｂによって支持プレート２２及びハウジング４に固定される。それにより、下ブレード１０及び上ブレード１２は、カラー２６ａ、２６ｂに沿って長手方向軸線ＡＡに沿って往復動するように案内される。後側のカラー２６ｂは、円筒形である。
【００２４】
ハウジング４は、下方に開放したハウジング本体４ａと、ハウジング蓋４ｂとを有している。エンジン２（図２に図示せず）は、遠心クラッチ３０を介してハウジング本体４ａに取付けられ、動力伝達機構１４は、遠心クラッチ３０に固定された小歯車３２と、小歯車３２と噛合う大歯車３４と、大歯車３４に設けられた下偏心カム３６及び上偏心カム３８を有している。また、ハウジング４の中に入れられたグリスが漏れることを防止するためのフェルト部材４０が設けられている。
【００２５】
大歯車３４は、ハウジング本体４ａに固定された回転軸４２に回転可能に取付けられている。下偏心カム３６は、大歯車３４の上に設けられ、上偏心カム３８は、下偏心カム３６の上に設けられている。すなわち、下偏心カム３６及び上偏心カム３８は一体に形成されている。下偏心カム３６及び上偏心カム３８は、回転軸４２を中心に偏心回転する。下偏心カム３６及び上偏心カム３８は、ほぼ円筒形状であり、互いに１８０度の位相で配置されている。大歯車３４は、ハウジング蓋４ｂに接触し且つ支持されている。
【００２６】
下ブレード１０は、下ブレード１０を往復動させるように下偏心カム３６の周囲に摺動可能に嵌合する長孔１０ａを有している。同様に、上ブレード１２は、上ブレード１２を往復動させるように上偏心カム３８の周囲に摺動可能に嵌合する長孔１２ａを有している。下ブレード１０の長孔１０ａ及び上ブレード１２の長孔１２ａの長手方向軸線Ｄは、下ブレード１０及び上ブレード１２の長手方向Ａに対して垂直に延びている。かくして、エンジン２の回転によって大歯車３４が一回転するとき、下ブレード１０及び上ブレード１２は、前進位置Ｆと後退位置Ｒ（図４及び図６参照）の間を一往復するように構成されている。また、上述したように、下偏心カム３６と上偏心カム３８とが互いに１８０度の位相で配置されているので、下ブレード１０が前進位置Ｆから後退位置Ｒに移動するとき、上ブレード１２は後退位置Ｒから前進位置Ｆに移動し、その逆に、下ブレード１０が後退位置Ｒから前進位置Ｆに移動するとき、上ブレード１２は前進位置Ｆから後退位置Ｒに移動する。下ブレード１０の長孔１０ａと上ブレード１２の長孔１２ａとは、回転軸４２の方向（上下方向）Ｂに隣接している。
【００２７】
刈込機１は、更に、下ブレード１０及び上ブレード１２の間に且つ下偏心カム３６と上偏心カム３８の間に配置される中間プレート４６を有している。
【００２８】
図３〜図６はそれぞれ、下ブレード１０及び上ブレード１２が０度、９０度、１８０度、２７０度にある状態を示す。
【００２９】
下ブレード１０及び上ブレード１２は、複数の刈刃８が長手方向Ａに沿って設けられている。本実施形態では、刈刃８は、長手方向Ａに対する両側に設けられ、上面８ａと下面８ｂに刃部８ｃを有している。
【００３０】
刈刃８は、下ブレード１０が後退位置Ｒから前進位置Ｆに移動し且つ上ブレード１２が前進位置Ｆから後退位置Ｒに移動するときに、下ブレード１０の刈刃８、例えば刈刃８ｄがその前側に隣接した上ブレード１２の刈刃８、例えば刈刃８ｅと係合して切断作用を行うように配置されている（図３及び図４参照）。更に、刈刃８は、下ブレード１０が前進位置Ｆから後退位置Ｒに移動し且つ上ブレード１２が後退位置Ｒから前進位置Fに移動するときに、下ブレード１０の刈刃８、例えば刈刃８ｆがその後側に隣接した上ブレード１２の刈刃８、例えば刈刃８ｇと係合して切断作用を行うように配置されている（図５及び図６参照）。
【００３１】
図４に示す９０度の位置及び図６に示す２７０度の位置において、下ブレード１０及び上ブレード１２の一方が前進位置Ｆにあり、他方が後退位置Ｒにある。図４及び図６に示す状態において、下ブレード１０は、大歯車３４と上偏心カム３８の間に挟まれている。
【００３２】
図３に示す０度の位置及び図５に示す１８０度の位置において、下ブレード１０及び上ブレード１２は中間位置にある。下偏心カム３６及び上偏心カム３８は、長手方向Ａと直交する横方向Ｃに配置されている。また、下ブレード１０の長孔１０ａと上ブレード１２の長孔１２ａとが上下方向Ｂに整列している。下ブレード１０及び上ブレード１２が０度又は１８０度の位置にあるときだけ、下偏心カム３６及び上偏心カム３８は、長孔１０ａ、１２ａを通過可能であり、かくして、下ブレード１０及び上ブレード１２から取外し可能である。
【００３３】
中間プレート４６は、下偏心カム３６及び上偏心カム３８が通過可能な輪郭を有する通過孔４６ａを有している。通過孔４６ａの大きさは、上偏心カム３８が通過できるが、下偏心カム３６及び上偏心カム３８の両方が一度に通過できないように定められる。
【００３４】
中間プレート４６は、下ブレード１０及び上ブレード１２に、経路４７に沿って移動可能に取付けられている。具体的には、中間プレート４６は、カラー２６ｂに嵌合する孔４６ｃを有し、カラー２６ｂを中心に枢動可能である。経路４７は、カラー２６ｂを中心とする弧状である。
【００３５】
下ブレード１０、上ブレード１２、下偏心カム３６、上偏心カム３８及び中間プレート４６は、支持プレート２２及び大歯車３４と合わせて、ブレード組立体５０を構成している。これらの構成要素は、ブレード組立体５０として、ハウジング４に取付けたり取外したりすることが可能である。
【００３６】
図３及び図５に示すように、ブレード組立体５０がハウジング４に取付けられているとき、中間プレート４６は、下偏心カム３６及び上偏心カム３８が通過孔４６ａを通過することを阻止する阻止位置に位置決めされている。換言すれば、下ブレード１０の長孔１０ａ及び上ブレード１２の長孔１２ａが上下方向Ｂに整列しているとき（０度及び１８０度の位置において）、中間プレート４６が、下偏心カム３６及び上偏心カム３８の両方に重なるように、通過孔４６ａが定められている。また、中間プレート４６は、０度及び１８０度の位置において、下ブレード１０及び上ブレード１２を越えて延びる突出部４６ｂを有し、突出部４６ｂは、長孔１０ａ及び１２ａの長手方向軸線Ｄの上に配置されることが好ましい。
【００３７】
図７に示すように、１８０度の位置にあるブレード組立体５０がハウジング本体４ａから解放されている（取外されている）とき、中間プレート４６は、上偏心カム３８が通過孔４６ａを通過可能な通過位置に移動可能である。中間プレート４６は、通過位置において、ブレード組立体５０の特徴部である下ブレード１０及び上ブレード１２の縁部５４ａに位置合わせされる位置合わせ部である突出部４６ｂの縁部５２ａを有している。
【００３８】
図８に示すように、ブレード組立体５０がハウジング本体４ａに取付けられるとき、中間プレート４６の突出部４６ｂは、ハウジング４に設けられた凹部４ｅ内に位置決めされることが好ましい。
【００３９】
次に、本発明による刈込機１の動作を説明する。
【００４０】
エンジン２を作動させ、スロットルレバー２０によって遠心クラッチ３０を作動させることにより、小歯車３２及び大歯車３４を回転させる。大歯車３４の回転により、下偏心カム３６及び上偏心カム３８が回転軸４２の周りに回転する。これに応じて、下ブレード１０及び上ブレード１２を長手方向Ａに往復動させる。
【００４１】
下偏心カム３６及び上偏心カム３８の位相が１８０度ずれているので、下ブレード１０が後退位置Ｒから前進位置Ｆに移動するとき、上ブレード１２が前進位置Ｆから後退位置Ｒに移動する。それにより、下ブレード１０の刈刃８（８ｄ）と上ブレード１２の刈刃８（８ｅ）とが切断作用を行う。引続いて、下ブレード１０が前進位置Ｆから後退位置Ｒに移動するとき、上ブレード１２が後退位置Ｒから前進位置Ｆに移動する。それにより、下ブレード１０の刈刃８（８ｆ）と上ブレード１２の刈刃８（８ｇ）とが切断作用を行う。
【００４２】
０度の位置から９０度の位置を経て１８０度の位置に移動する間、及び、１８０度の位置から２７０度の位置を経て０度の位置に移動する間、下ブレード１０は、大歯車３４と上偏心カム３８の間に挟まれている。したがって、一対のブレード１０、１２に負荷がかかったとき、下ブレード１０が回転軸４２の方向（上下方向）Ｂに移動することが阻止される。
【００４３】
０度の位置又は１８０度の位置において、下ブレード１０の長孔１０ａと上ブレード１２の長孔１２ａとが回転軸４２の方向（上下方向）Ｂに整列している（図７参照）。この場合、一対のブレード１０、１２に負荷がかかったとき、上偏心カム３８と下ブレード１０とを相対移動させる力が作用することがある。
【００４４】
仮に中間プレート４６がなければ、一対のブレード１０、１２への負荷により、上偏心カム３８が下ブレード１０に対して相対移動して、下ブレード１０に近づくように回転軸４２の方向（上下方向）Ｂに移動したとき（図８参照）、下偏心カム３６と上偏心カム３８の両方が下ブレード１０の長孔１０ａに嵌合することになる。しかしながら、中間プレート４６により、かかる相対移動が阻止される。その結果、下偏心カム３６と上偏心カム３８の両方が下ブレード１０の長孔１０ａに同時に係合することがなく、下偏心カム３６及び上偏心カム３８がロックしてブレードの作動が停止することを防止することができる。
【００４５】
次に、本発明による刈込機の分解手順を説明する。
【００４６】
ハウジング蓋４ｂをハウジング本体４ａから取外す。次いで、ボルト２８ａ、２８ｂを取外して、ブレード組立体５０をハウジング本体４ａから取外す。このとき、後側のボルト２８ｂは、支持プレート２２の後側の孔２２ｂに挿入したままにしておく（図２参照）。
【００４７】
次いで、下ブレード１０及び上ブレード１２を０度又は１８０度の位置にして、下ブレード１０の長孔１０ａ及び上ブレード１２の長孔１２ａが上下方向Ｂに整列していることを確認する。また、中間プレート４６の突出部４６ｂが、長孔１０ａ、１２ａの長手方向軸線Ｄ上に位置するように、カラー２６ｂの位置を調節する（図３及び図５参照）。
【００４８】
次いで、中間プレート４６をカラー２６ｂを中心に回転させ、中間プレート４６の突出部４６ｂの縁部５２ａを下ブレード１０及び上ブレード１２の縁部５４ａまで経路４７に沿って移動させる。それにより、中間プレート４６の通過孔４６ａと上偏心カム３８が上下方向Ｂに整列する。上偏心カム３８を中間プレート４６に向かって下方向に押すことにより、上偏心カム３８は、通過孔４６ａ及び下ブレード１０の長孔１０ａを通過して、下偏心カム３６及び上偏心カム３８が下ブレード１０及び上ブレード１２から取外される（図７参照）。
【００４９】
中間プレート４６を移動させるときの通過孔４６ａの軌跡は所定の経路４７に限定される。そのため、中間プレート４６を経路４７に沿って移動させれば、中間プレート４６を通過位置に容易に位置合わせすることができる。これに対して、引用文献１に記載された刈込機では、中間プレートが２次元的に自由に移動することができるので、中間プレートを通過位置に位置合わせすることが困難である。また、中間プレート４６の突出部４６ｂの縁部５２ａを下ブレード１０及び上ブレード１２の縁部５４ａまで経路４７に沿って移動させることにより、中間プレート４６を通過位置にさらに容易に位置合わせすることができる。
【００５０】
次に、位置合わせ部及び特徴部の第１の変形例を説明する。
【００５１】
図９及び図１０に示すように、位置合わせ部は、中間プレート４６の突出部４６ｂの折曲げ部５２ｂであり、特徴部は、第１のブレード１０及び／又は第２のブレード１２の縁部５４ｂである。通過位置において、折曲げ部５２ｂは、縁部５４ｂに当接する。
【００５２】
次に、位置合わせ部及び特徴部の第２の変形例を説明する。
【００５３】
図１１に示すように、位置合わせ部は、中間プレート４６に設けられた突起５２ｃであり、特徴部は、第１の偏心カム３６の縁部５４ｃである。突起５２ｃは、通過孔４６ａの中に出っ張り、通過位置において、突起５２ｃが上偏心カム３８の縁部５４ｃに当接する。
【００５４】
以上、本発明の実施形態を説明したが、本発明は、以上の実施形態に限定されることなく、特許請求の範囲に記載された発明の範囲内で種々の変更が可能であり、それらも本発明の範囲内に包含されるものであることはいうまでもない。
【００５５】
上記実施形態において、刈込機１を説明したけれども、本発明による往復動作業機は、揺動式バリカン、芝刈機等であってもよい。
【００５６】
また、上記実施形態では、下ブレード１０及び上ブレード１２を長手方向Ａに往復動させたが、下ブレード及び上ブレードを、枢軸を中心に揺動させて実質的に横方向Ｃに往復動させてもよい。この場合、下ブレードの長孔及び上ブレードの長孔は、例えば、横方向Ｃに対して垂直な方向Ａに延びるのがよい。
【００５７】
上記実施形態では、通過孔４６ａは、上偏心カム３８が通過する輪郭を有していたけれども、例えば、大歯車３４が下偏心カム３６から取外せる場合、下偏心カム３６が通過する輪郭を有していてもよい。この場合、下偏心カム３６と上偏心カム３８は、上方向に取外される。
【００５８】
上記実施形態では、中間プレート４６の移動経路４７は弧状であったけれども、中間プレートの移動が一次元的であれば、直線状であってもよいし、その他任意の経路であってもよい。例えば、中間プレート４６は、カラー２６ｂ以外のところを中心に枢動してもよいし、上ブレード１２に横方向Ｃに移動可能に取付けられてもよい。
【００５９】
位置合わせ部と特徴部の形態は、中間プレート４６を通過位置に位置合わせできれば、上記実施形態以外の形態であってもよい。例えば、第２の変形例において、突起５２ｃは、通過孔４６ａの中に出っ張っていたけれども、通過孔４６ａ自体が位置合わせ部であって、上偏心カム３８の縁部５４ｃに当接してもよいし、突起５２ｃが中間プレート４６の表面から上方向に出っ張ってもよい。
【００６０】
上記実施形態では、中間プレート４６は通過孔４６ａを有していたけれども、切欠き部であってもよい。
【００６１】
上記実施形態では、中間プレート４６の突出部４６ｂは、中間プレート４６の両側に設けられていたけれども、中間プレート４６を通過位置に位置合わせすることができ且つ／又は中間プレート４６をハウジング本体４ａに位置決めすることができれば、片側だけであってもよい。また、中間プレート４６をハウジング本体４ａに位置決めすることができれば、中間プレート４６の突出部４６ｂは、ハウジング本体４ａに位置決めされなくてもよい。
【００６２】
上記実施形態では、ブレード組立体５０は、下ブレード１０、上ブレード１２、下偏心カム３６、上偏心カム３８、中間プレート４６、支持プレート２２及び大歯車３４を含んでいたけれども、支持プレート２２及び／又は大歯車３４が取外され、ブレード組立体５０を構成しなくてもよい。
【符号の説明】
【００６３】
１  刈込機
４  ハウジング
４ｅ  凹部
１０  下ブレード（第１のブレード）
１０ａ  長孔
１２  上ブレード（第２のブレード）
１２ａ  長孔
３６  下偏心カム（第１の偏心カム）
３８  上偏心カム（第２の偏心カム）
４２  回転軸
４６  中間プレート
４６ａ  通過孔（通過部）
４６ｂ  突出部
４７  経路
５０  ブレード組立体
５２ａ  突出部の縁部（位置合わせ部）
５２ｂ  突出部の折曲げ部（位置合わせ部）
５２ｃ  突起（位置合わせ部）
５４ａ  ブレードの縁部（特徴部）
５４ｂ  ブレードの縁部（特徴部）
５４ｃ  第２の偏心カムの縁部（特徴部）
【図１】
2017046638.tif 000003
【図２】
2017046638.tif 000004
【図３】
2017046638.tif 000005
【図４】
2017046638.tif 000006
【図５】
2017046638.tif 000007
【図６】
2017046638.tif 000008
【図７】
2017046638.tif 000009
【図８】
2017046638.tif 000010
【図９】
2017046638.tif 000011
【図１０】
2017046638.tif 000012
【図１１】
2017046638.tif 000013